(57)【特許請求の範囲】
【請求項１】
外部装置と非接触通信を行う非接触通信部と、
撮像装置の電源ＯＮ／ＯＦＦおよび撮像準備動作を制御する制御部と、
を備え、
前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、撮像装置。
【請求項２】
前記制御部は、前記撮像装置の電源をＯＮにした後、所定時間内に前記接続情報の送信が完了しなかった場合、前記撮像装置の電源をＯＦＦにする制御を行う、請求項１に記載の撮像装置。
【請求項３】
前記制御部は、前記接続情報と共に、前記外部装置で起動させるアプリケーションを指定する情報を送信するよう制御する、請求項１に記載の撮像装置。
【請求項４】
前記制御部は、ユーザによる電源ボタンの操作を検知した際、前記撮像装置の電源をＯＮにする制御を行うと共に、撮像準備動作を行うよう制御する、請求項１に記載の撮像装置。
【請求項５】
前記撮像準備動作は、外観の変化またはユーザへの起動通知を伴う動作である、請求項１に記載の撮像装置。
【請求項６】
前記外観の変化を伴う撮像準備動作は、沈胴式レンズの駆動動作である、請求項５に記載の撮像装置。
【請求項７】
前記ユーザへの起動通知を伴う撮像準備動作は、起動音の再生動作である、請求項５に記載の撮像装置。
【請求項８】
前記ユーザへの起動通知を伴う撮像準備動作は、電源ランプの発光動作である、請求項５に記載の撮像装置。
【請求項９】
前記非接触通信は、ＮＦＣ通信である、請求項１に記載の撮像装置。
【請求項１０】
前記無線通信は、Ｗｉ−Ｆｉ通信である、請求項１に記載の撮像装置。
【請求項１１】
外部装置から非接触通信により発信されたポーリングコマンドを検知するステップと、
前記ポーリングコマンドを検知した際に撮像装置の電源をＯＮにする制御を行うステップと、
前記撮像装置の電源をＯＮにした後、前記外部装置と無線通信の接続を行うための接続情報を前記外部装置に送信するステップと、
前記接続情報の送信が完了した場合に、プロセッサにより撮像準備動作を行うよう制御するステップと、
を含む、制御方法。
【請求項１２】
コンピュータを、
外部装置と非接触通信を行う非接触通信部と、
撮像装置の電源ＯＮ／ＯＦＦおよび撮像準備動作を制御する制御部と、
として機能させ、
前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、プログラム。
【発明の詳細な説明】
【技術分野】
【０００１】
本開示は、撮像装置、制御方法、およびプログラムに関する。
【背景技術】
【０００２】
近年、遠隔制御される機能を有するビデオカメラ装置が提案されている。例えば、下記特許文献１には、リモートコントローラから無線通信により送信された撮影信号に応じて撮影を行い、撮影画像をリモートコントローラ側に送信するビデオカメラ装置が提案されている。
【０００３】
また、デジタルカメラと無線通信を行い、遠隔で撮影制御可能な機能を有するアプリケーションを実装する情報処理端末（スマートフォンまたは携帯電話端末等）を用いて、デジタルカメラの遠隔撮影制御を行うシステムも提案されている。
【先行技術文献】
【特許文献】
【０００４】
【特許文献１】特開平８−３３１４３４号公報
【発明の概要】
【発明が解決しようとする課題】
【０００５】
しかしながら、上述した情報処理端末を用いてデジタルカメラの遠隔制御を行うシステムでは、デジタルカメラの電源ＯＮ操作と、情報処理端末でのアプリケーション起動操作と、デジタルカメラと情報処理端末の無線通信接続操作等とを行う必要があり、手間がかかっていた。
【０００６】
そこで、本開示では、非接触通信に応じて自動的に電源ＯＮ制御を行い、無線通信接続のための接続情報の送信が完了してから撮像準備動作を行うことが可能な撮像装置、制御方法、およびプログラムを提案する。
【課題を解決するための手段】
【０００７】
本開示によれば、外部装置と非接触通信を行う非接触通信部と、撮像装置の電源ＯＮ／ＯＦＦおよび撮像準備動作を制御する制御部と、を備え、前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、撮像装置を提案する。
【０００８】
本開示によれば、外部装置から非接触通信により発信されたポーリングコマンドを検知するステップと、前記ポーリングコマンドを検知した際に撮像装置の電源をＯＮにする制御を行うステップと、前記撮像装置の電源をＯＮにした後、前記外部装置と無線通信の接続を行うための接続情報を前記外部装置に送信するステップと、前記接続情報の送信が完了した場合に、プロセッサにより撮像準備動作を行うよう制御するステップと、を含む、制御方法を提案する。
【０００９】
本開示によれば、外部装置と非接触通信を行う非接触通信部と、撮像装置の電源ＯＮ／ＯＦＦおよび撮像準備動作を制御する制御部と、として機能させ、前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、プログラムを提案する。
【発明の効果】
【００１０】
以上説明したように本開示によれば、非接触通信に応じて自動的に電源ＯＮ制御を行い、無線通信接続のための接続情報の送信が完了してから撮像準備動作を行うことが可能となる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態によるデジタルカメラの概要について説明するための図である。
【図２】デジタルカメラと通信端末の一連の動作の流れについて説明するための状態遷移図である。
【図３】通信端末を途中で離してしまった場合について説明するための状態遷移図である。
【図４】本実施形態によるデジタルカメラの基本構成の一例を示すブロック構成図である。
【図５】本実施形態による動作処理を示すフローチャートである。
【図６】本実施形態による一連の動作を説明するための状態遷移図である。
【図７】本実施形態による制御システムの動作処理を示すシーケンス図である。
【図８】他の実施形態のデジタルカメラの例である撮像ユニットを通信端末に装着した状態の斜視図である。
【図９】他の実施形態の撮像ユニットを通信端末に装着した状態の斜視図である。
【図１０】他の実施形態の撮像装置とアダプター、及び通信端末の斜視図である。
【図１１】他の実施形態の撮像装置の内筒部が突出した状態の斜視図である。
【図１２】撮像装置の平面図である。
【図１３】撮像装置の底面図である。
【図１４】撮像装置の左側面図である。
【図１５】撮像装置の右側面図である。
【図１６】他の実施形態のアダプタの斜視図である。
【図１７】他の実施形態のアダプタの斜視図である。
【図１８】他の実施形態の形状変形例の説明図である。
【図１９】他の実施形態による一連の動作を説明するための状態遷移図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態によるデジタルカメラの概要
２．基本構成
３．動作処理
３−１．デジタルカメラの動作処理
３−２．制御システムの動作処理
４．他の実施の形態
５．まとめ
【００１５】
＜＜１．本開示の一実施形態によるデジタルカメラの概要＞＞
まず、本開示の一実施形態によるデジタルカメラの概要について図１を参照して説明する。図１に示すデジタルカメラ１０は、本開示による撮像装置の一例である。なお本開示による撮像装置はデジタルカメラ１０に限定されず、例えばデジタルビデオカメラであってもよい。
【００１６】
デジタルカメラ１０の上面には、電源ボタン１５およびシャッターボタン１４が設けられている。さらに、電源ボタン１５には電源ランプ１２が一体化して設けられ、電源ランプ１２が点灯することにより、デジタルカメラ１０の電源がＯＮ状態であることをユーザに通知する。
【００１７】
また、デジタルカメラ１０には、ＮＦＣ（Near Field Communication）通信を行うＮＦＣ通信部（ＮＦＣタグ）１２０が搭載され、近接する外部装置に搭載されたＮＦＣ通信部と非接触通信を行う。図１に示す例では、スマートフォン等の通信端末２０が近接された場合に、通信端末２０に搭載されたＮＦＣ通信部２２と、デジタルカメラ１０のＮＦＣ通信部１２０により非接触通信が行われる。
【００１８】
通信端末２０に搭載されたＮＦＣ通信部２２は、ＮＦＣアンテナと協働して近接するデジタルカメラ１０とＮＦＣ通信を行う。具体的にはＮＦＣ通信部２２は、ＮＦＣアンテナから略数ｃｍ〜１０ｃｍ程度、または設計によっては略７ｍｍ程度の近距離に到達する電波を送信し、電波到達範囲内に含まれるデジタルカメラ１０のＮＦＣアンテナ１２１（図４参照）を駆動させ、デジタルカメラ１０とＮＦＣ通信を行う。
【００１９】
電源ＯＦＦ状態のデジタルカメラ１０は、図１上に示すように、通信端末２０が近接されると、ＮＦＣ通信に応じて電源が入り（電源ＯＮ）、起動する。そして、デジタルカメラ１０は、通信端末２０からの要求に応じてＷｉ−Ｆｉ（Wireless Fidelity）等の無線通信接続を行い、通信端末２０側では所定のアプリケーションが起動され、デジタルカメラ１０と通信端末２０の連携機能が実施される。
【００２０】
（背景）
ここで、デジタルカメラ１０の電源ＯＮから連携機能の実施までの一連の動作の流れにおける問題点について、図２、図３を参照して説明する。
【００２１】
図２は、比較例によるデジタルカメラ３０と、通信端末２０との一連の動作の流れについて説明するための状態遷移図である。図２に示すように、電源ＯＦＦ状態のデジタルカメラ３０に、起動済みでロック解除された通信端末２０を近接させると、ＮＦＣ通信によってデジタルカメラ３０の電源が入る（電源ＯＮ）。通常、電源がＯＮになったタイミングで、デジタルカメラ３０では、図２に示すように、沈胴式レンズ３１０を突出させたり、電源ランプ３２０を点灯させたり等の撮像準備動作が行われる。
【００２２】
次に、デジタルカメラ３０に近接された通信端末２０は、ＮＦＣ通信により、Ｗｉ−Ｆｉ等の無線通信接続を行うための接続情報（ＩＤやＰａｓｓＫｅｙ等の情報）や起動するアプリケーションの情報（パッケージ名等）をデジタルカメラ３０から取得する。
【００２３】
次いで、通信端末２０は、デジタルカメラ３０から取得したアプリケーション情報に基づいて所定のアプリケーションを起動し、表示部２１には、アプリケーションの起動画面が表示される。
【００２４】
続いて、通信端末２０は、デジタルカメラ３０から取得した接続情報に基づいてＷｉ−Ｆｉ通信接続が完了すると、通信端末２０がデジタルカメラ３０から離されても、Ｗｉ−Ｆｉ通信により通信端末２０とデジタルカメラ３０の連携機能が実施される。連携機能の一例としては、デジタルカメラ３０に対する遠隔撮影制御の機能や、デジタルカメラ３０で取得されたスルー画像や撮像画像を通信端末２０で表示する機能等が挙げられる。ユーザは、例えば離れた場所にデジタルカメラ３０を自分に向けて置き、通信端末２０の表示部２１に表示でスルー画像を確認した上で、表示部２１に表示される撮影ボタンをタップして撮影実行の指示を遠隔から行うことができる。
【００２５】
このように、ユーザが通信端末２０をデジタルカメラ３０に近接させるだけで、デジタルカメラ３０の電源ＯＮ制御、アプリケーションの起動、Ｗｉ−Ｆｉ通信の接続確立、および連携機能の実施といった一連の動作が自動的に行われる。
【００２６】
しかしながら、このような一連の動作が行われる際に、ＮＦＣ通信の途中で通信端末２０をデジタルカメラ３０から離してしまうと、接続が失敗するといった問題がある。以下、図３を参照して説明する。
【００２７】
図３は、接続処理の途中で通信端末２０をデジタルカメラ３０から離してしまった場合について説明するための状態遷移図である。図３に示すように、通信端末２０をデジタルカメラ３０に近接させて、デジタルカメラ３０の電源がＯＮになると、沈胴式レンズ３１０が突出したり電源ランプ３２０が点灯したりするので、ユーザは接続処理が成功したと解し、通信端末２０をデジタルカメラ３０から離す恐れがある。通信端末２０がデジタルカメラ３０から離されると、ＮＦＣ通信を行うことができず、通信端末２０は、Ｗｉ−Ｆｉ通信接続に必要な接続情報や、起動するアプリケーションの情報を取得することができなくなってしまう。
【００２８】
その結果、通信端末２０は、アプリケーションを起動することができず、また、Ｗｉ−Ｆｉ接続にも至らず、連携機能を実施することができない。
【００２９】
そこで、上記事情を鑑みて、本実施形態によるデジタルカメラ１０は、図１に示すように、通信端末２０が近接されると、ＮＦＣ通信に応じて電源ＯＮ制御を行うが、沈胴式レンズ１３の突出や電源ランプ１２の点灯等の撮像準備動作は行わない。本実施形態によるデジタルカメラ１０は、図１に示すように、電源ＯＮ制御後、Ｗｉ−Ｆｉ通信の接続確立に必要な接続情報等の送信が完了した後に、沈胴式レンズ１３の突出や電源ランプ１２の点灯等の撮像準備動作を行う。Ｗｉ−Ｆｉ接続情報等の送信が完了した後であれば、通信端末２０をデジタルカメラ３０から離しても、既にアプリケーションの起動やＷｉ−Ｆｉ接続に必要な情報はデジタルカメラ３０から取得できているので、通信端末２０は、一連の動作を引き続き行うことができる。
【００３０】
以上、本開示の一実施形態によるデジタルカメラ１０の概要について説明した。続いて、本開示によるデジタルカメラ１０の基本構成について、図４を参照して具体的に説明する。
【００３１】
＜＜２．基本構成＞＞
図４は、本実施形態によるデジタルカメラ１０の基本構成の一例を示すブロック構成図である。図４に示すように、デジタルカメラ１０は、制御部１００、操作入力部１０２、電源ランプ１２、撮像部１０４、画像処理部１０６、記録／読み出し部１０７、記録メディア１０９、表示部１１０、スピーカ１１１、電源部１１３、時間管理部１１４、記憶部１１５、ＧＰＳ測位部１１６、ジャイロセンサ１１７、ＮＦＣ通信部１２０、およびＷｉ−Ｆｉ通信部１２２を含む。
【００３２】
（制御部）
制御部１００は、デジタルカメラ１０が有する各構成を制御する。例えば、制御部１００は、図４に示すように、操作入力部１０２から出力された操作信号に応じたコントロール信号を各構成に出力し、撮像制御、画像処理制御、記録制御および表示制御等を実行する。また、本実施形態による制御部１００は、ＮＦＣ通信部１２０、Ｗｉ−Ｆｉ通信部１２２を制御する通信制御部としても機能する。
【００３３】
また、本実施形態による制御部１００は、電源部１１３に対して電源コントロール信号を出力し、デジタルカメラ１０の電源ＯＮ／ＯＦＦを切り替える。具体的には、制御部１００は、ＮＦＣ通信部１２０により、外部装置からのＰｏｌｌｉｎｇ  Ｃｏｍｍａｎｄに相当するＮＦＣ帯域の無線信号を検知した際に、電源ＯＮ制御を行う。そして、電源をＯＮにした後、外部装置（例えば通信端末２０）と無線通信（例えばＷｉ−Ｆｉ通信）の接続を行うための接続情報（ＩＤやＰａｓｓＫｅｙ等）をＮＦＣ通信部１２０から外部装置に送信し、接続情報の送信が完了した場合に、撮像準備動作を行うよう制御する。
【００３４】
本明細書において、撮像準備動作とは、デジタルカメラ１０の外観の変化またはユーザへの起動通知を伴う動作を示す。具体的には、外観の変化を伴う撮像準備動作とは、例えば沈胴式レンズ１３を突出させる駆動動作である。また、ユーザへの起動通知を伴う撮像準備動作とは、例えばスピーカ１１１からの起動音の再生動作や、電源ランプ１２の発光動作である。これにより、接続情報の送信完了前に沈胴式レンズ１３の突出等が行われないので、ユーザが接続成功と解してＷｉ−Ｆｉ接続処理の途中で通信端末２０をデジタルカメラ１０から離してしまうことを防止することができる。
【００３５】
また、制御部１００は、上記接続情報と共に、外部装置で起動させるアプリケーションを指定する情報（例えばパッケージ名）をＮＦＣ通信部１２０から送信するよう制御する。
【００３６】
制御部１００は、デジタルカメラ１０の電源をＯＮにした後、所定時間内に上記接続情報の送信が完了しなかった場合、デジタルカメラ１０の電源をＯＦＦにする制御を行う。
【００３７】
また、制御部１００は、外部装置からのＰｏｌｌｉｎｇ  Ｃｏｍｍａｎｄに相当する無線信号の検知ではなく、図１に示す電源ボタン１５がユーザに押下されたことを検知した場合、通常通り、デジタルカメラ１０の電源ＯＮ制御を行うと共に撮像準備動作を行うよう制御する。
【００３８】
（操作入力部）
操作入力部１０２は、ユーザによる操作入力を検出し、操作信号として制御部１００に出力する。操作入力部１０２は、物理的な構成より成るボタン（シャッターボタン１４、電源ボタン１５、モードスイッチ、メニューボタンおよび操作レバー等）であってもよいし、操作画面へのタッチ操作を検出するタッチパネルであってもよい。
【００３９】
（撮像部）
撮像部１０４は、ＣＣＤ（Charge Coupled Device）またはＣＭＯＳ（Complementary Metal Oxide Semiconductor）などの信号変換部であって、光学系により被写体像が形成される。光学系に含まれる撮像レンズは、図１に示すような沈胴式レンズ１３であってもよい。被写体像が信号変換部に形成されると、被写体像は信号変換部により電気的な画像信号に変換される。また、撮像部１０４により変換された画像信号（撮像画像）は、画像処理部１０６等を通して表示部１１０や記録メディア１０９に送られる。
【００４０】
（画像処理部）
画像処理部１０６は、撮像部１０４から出力された画像信号（撮像画像）を処理する。画像処理部１０６は、必要に応じて、例えばノイズ除去、色調補正、エッジ検出等を行う。また、画像処理部１０６は、撮像部１０４から出力された画像信号（撮像画像）を表示制御部１０８および／または、記録／読み出し部１０７に出力する。
【００４１】
（表示制御部）
表示制御部１０８は、表示部１１０に表示する画面の生成や、表示部１１０の表示を制御する。例えば、表示制御部１０８は、制御部１００から出力されるコントロール信号に従って、表示画面の生成および表示制御を行う。また、表示制御部１０８は、画像処理部１０６から出力された撮像画像や、記録／読み出し部１０７から出力された撮像画像を表示部１１０に表示するよう制御する。
【００４２】
（表示部）
表示部１１０は、例えば、液晶ディスプレイ（ＬＣＤ）装置およびＯＬＥＤ（Organic Light Emitting Diode）装置などの表示装置である。
【００４３】
（記録／読み出し部）
記録／読み出し部１０７は、例えばシャッターボタン１４の押下のタイミングに応じて画像処理部１０６から出力される画像信号（撮像画像）を記録メディア１０９に記録したり、記録メディア１０９に記録されている撮像画像を読み出したりする。また、記録／読み出し部１０７は、撮像画像を圧縮した上で記録メディア１０９に記録してもよい。また、記録メディア１０９から圧縮データを読み出した場合、複合した上で表示制御部１０８に出力する。
【００４４】
（記録メディア）
記録メディア１０９は、撮像画像が書き込まれるメモリカード等である。
【００４５】
（電源部）
電源部１１３は、バッテリおよび電源回路を含み、制御部１００から出力される電源コントロール信号に応じて電源ＯＮ／ＯＦＦを切り替える。また、電源部１１３は、デジタルカメラ１０の各構成に電力供給を行う。
【００４６】
（時間管理部）
時間管理部１１４は、時間情報を取得する取得部の一例であって、より具体的には、時計回路を含み、年月日および時分秒を管理する。時間管理部１１４により取得される時間情報は、撮像時刻の記録として撮像画像に付加される。
【００４７】
（記憶部）
記憶部１１５は、ＲＡＭ（Random Access Memory）およびＲＯＭ（Read Only Memory）などの記録媒体である。ＲＡＭは、例えば制御部１００の作業領域として利用される。また、ＲＯＭには、例えば制御部１００が、上述した電源ＯＮ／ＯＦＦ制御、撮像準備動作制御、および通信制御等を実行するためのプログラムが書き込まれている。
【００４８】
（ＧＰＳ測位部）
ＧＰＳ（Global Positioning System）測位部１１６は、ＧＰＳ衛星からの電波を受信して、デジタルカメラ１０が存在している位置（現在位置）を測位する。なお、ＧＰＳ測位部１１６は、外部からの取得信号に基づいて現在位置情報を取得する位置情報取得部の一例であって、位置情報取得部の例はＧＰＳ測位部１１６に限定されない。例えば、位置情報取得部は、Ｗｉ−Ｆｉ、他の携帯電話・ＰＨＳ・スマートフォン等との送受信、または近距離通信等により現在位置情報を取得するものであってもよい。
【００４９】
（ジャイロセンサ）
ジャイロセンサ１１７は、デジタルカメラ１０が旋回しているときのＺ軸周りの回転角の変化する速度（角速度）やＹ軸周りの角速度を検出する機能を有する。また、デジタルカメラ１０は、ジャイロセンサ１１７に加えて、Ｘ軸に沿った加速度、Ｙ軸に沿った加速度、およびＺ軸に沿った加速度をそれぞれ電圧値として検出する機能を有する３軸加速度センサを有していてもよい。
【００５０】
（ＮＦＣ通信部１２０）
ＮＦＣ通信部１２０は、制御部１００による制御に従い、ＮＦＣアンテナ１２１と協働して近接する外部装置（例えば通信端末２０）と非接触通信を行うインターフェースである。ＮＦＣ通信部１２０は、ＮＦＣアンテナ１２１から略３ｃｍ〜１０ｃｍ程度、または設計によっては略７ｍｍ程度の近距離に到達する電波を送信し、電波到達範囲内に含まれる外部装置とＮＦＣ通信を行う。
【００５１】
例えば、ＮＦＣ通信部１２０は、Ｗｉ−Ｆｉの自動接続を行うための接続情報（Wi-Fi Configuration）や、ＡＡＲ（Android Application Record）を、外部装置からのチェックコマンド（Check Command）に応じて送信する。Ｗｉ−Ｆｉ  Ｃｏｎｆｉｇｕｒａｔｉｏｎには、Ｗｉ−Ｆｉ接続のためのＳＳＩＤ（Service Set Identifier）、ＰａｓｓＫｅｙ（暗号化キー）等が含まれる。
【００５２】
（Ｗｉ−Ｆｉ通信部）
Ｗｉ−Ｆｉ通信部１２２は、制御部１００による制御に従い、Ｗｉ−Ｆｉアンテナ１２３と協働して周囲の外部装置（例えば通信端末２０）と無線通信を行うインターフェースである。
【００５３】
例えば、Ｗｉ−Ｆｉ通信部１２２は、外部装置からのＷｉ−Ｆｉ接続要求に応じて、Ｗｉ−Ｆｉ認証を行い、外部装置とのＷｉ−Ｆｉ通信接続確立処理を行う。
【００５４】
以上、本実施形態によるデジタルカメラ１０の基本構成について具体的に説明した。続いて、本実施形態によるデジタルカメラ１０と通信端末２０の動作処理について図５〜図７を参照して説明する。
【００５５】
＜＜３．動作処理＞＞
＜３−１．デジタルカメラの動作処理＞
まず、図５を参照して本実施形態によるデジタルカメラ１０の動作処理について説明する。図５は、本実施形態によるデジタルカメラ１０の動作処理を示すフローチャートである。
【００５６】
図５に示すように、まず、ステップＳ１０３において、ＮＦＣ通信部１２０は、外部からＮＦＣ帯域のＲＦ（無線信号）を検出する。かかる無線信号は、通信端末２０から発信されるＰｏｌｌｉｎｇ  Ｃｏｍｍａｎｄに相当するが、当該無線信号の検出は、ＮＦＣ通信部１２０が有するＮＦＣ帯域の無線信号の周波数検出器により実現されるので、この時点ではコマンドのデコードは行われない。ＮＦＣ通信部１２０は、ＮＦＣ帯域のＲＦを検出したことを認識する。
【００５７】
次に、ＮＦＣ帯域の無線信号を検出した場合（Ｓ１０３／Ｙｅｓ）、ステップＳ１０６において、制御部１００は、電源ＯＦＦ状態であるデジタルカメラ１０の電源をＯＮにするよう電源部１１３に電源コントロール信号を出力する。この際、制御部１００は、沈胴式レンズ１３を突出する等の撮像準備動作は行わない。
【００５８】
次いで、ステップＳ１０９において、制御部１００は、時間管理部１１４を利用して、ＮＦＣ通信待ちのタイマを起動する。
【００５９】
続いて、ステップＳ１１２において、制御部１００は、外部からのＣｈｅｃｋ  Ｃｏｍｍａｎｄに応じたＮＦＣ通信による応答データの送信が完了したか否かを判断する。Ｃｈｅｃｋ  Ｃｏｍｍａｎｄに応じてＮＦＣ通信により送信する応答データとは、上述したＷｉ−Ｆｉ  ＣｏｎｆｉｇおよびＡＡＲである。
【００６０】
次に、応答データの送信が完了した場合（Ｓ１１２／Ｙｅｓ）、ステップＳ１１５において、制御部１００は、沈胴式レンズ１３を突出する等の撮像準備動作を行う。
【００６１】
次いで、ステップＳ１１８において、制御部１００は、カメラ機能を開始する。例えば、制御部１００は、沈胴式レンズ１３を含む光学系により形成された被写体像を電気的な画像信号に変換したスルー画像を表示部１１０に表示する。また、制御部１００は、外部装置とのＷｉ−Ｆｉ接続を確立し、外部装置との連携機能を実施する。
【００６２】
一方、応答データの送信が完了せずに（Ｓ１１２／Ｎｏ）、タイマ設定の時間（一定時間）が経過した場合（Ｓ１２１／Ｙｅｓ）、ステップＳ１２４において、制御部１００は、デジタルカメラ１０の電源をＯＦＦにするよう電源部１１３に電源コントロール信号を出力する。これにより、連携機能を実装する所定の通信端末２０以外の無線機器（自動改札、自動販売機、自動認証ゲート等）などから発信される、Ｐｏｌｌｉｎｇ  Ｃｏｍｍａｎｄと同じ帯域の電波に反応して誤作動で電源ＯＮになった場合でも、一定時間後に電源をＯＦＦすることができる。また、無駄な電力消費を抑えることができる。さらに、電源がＯＮになっても沈胴式レンズ１３を突出する等の撮像準備動作は行われないので、通信端末２０以外の無線機器からの電波に反応して電源がＯＮになってもケース内で沈胴式レンズ１３が突出してレンズが破壊されることを防止することができる。
【００６３】
以上説明したデジタルカメラ１０の一連の動作を、通信端末２０の動作と対応付けて説明するための状態遷移図を図６に示した。図６に示したように、通信端末２０が、電源ＯＦＦ状態のデジタルカメラ１０に近接されると、ＮＦＣ通信によりデジタルカメラ１０の電源がＯＮになる。ただし、この時点では、沈胴式レンズ１３を突出する等の撮像準備動作は行われない。これにより、ユーザがこの時点で接続処理が成功したと解して、通信端末２０をデジタルカメラ１０から離してしまうことを防止することができる。
【００６４】
次いで、図６に示すように、通信端末２０は、ＮＦＣ通信によりデジタルカメラ１０からＷｉ−Ｆｉ接続情報等（Ｗｉ−Ｆｉ  ＣｏｎｆｉｇおよびＡＡＲ）を受信する。接続情報等の送信が完了すると、デジタルカメラ１０は、沈胴式レンズ１３を突出したり、電源ランプ１２を発光したり等の撮像準備動作を行う。一方、通信端末２０側では、ＡＡＲに従って所定のアプリケーションを起動し、Ｗｉ−Ｆｉ  Ｃｏｎｆｉｇを用いてデジタルカメラ１０に対してＷｉ−Ｆｉ接続要求を行う。そして、通信端末２０とデジタルカメラ１０の間でＷｉ−Ｆｉ接続が完了すると、Ｗｉ−Ｆｉ通信を利用した連携機能が実施される。
【００６５】
このように、本実施形態によるデジタルカメラ１０は、接続情報等の送信が完了した後に沈胴式レンズ１３の突出等を行うので、この時点でユーザが接続処理が成功したと解して通信端末２０を離しても、通信端末２０は連携機能実施までの一連の動作を行うことができる。
【００６６】
なお接続情報等の送信が完了せずに一定時間経過した場合、図６に示すように、デジタルカメラ１０が電源ＯＦＦ制御を行うことで、誤作動により起動してしまった場合の無駄な電力消費を抑えることができる。また、誤作動で電源がＯＮになっても沈胴式レンズ１３は突出しないので、ケース内に収納された状態でデジタルカメラ１０の電源が入った際における沈胴式レンズ１３の突出によるレンズの破壊を防止することができる。
【００６７】
以上、ＮＦＣ通信による電源ＯＮ制御について説明した。なお図５に示すように、Ｐｏｌｌｉｎｇ  Ｃｏｍｍａｎｄの検出ではなく（Ｓ１０３／Ｎｏ）、電源ボタン１５の押下が検出された場合（Ｓ１２７／Ｙｅｓ）、ステップＳ１３０において、制御部１００は、通常通り電源をＯＮすると共に沈胴式レンズ１３の突出等の撮像準備動作を行う。
【００６８】
次いで、ステップＳ１３３において、制御部１００は、カメラ機能を開始する。
【００６９】
＜３−２．制御システムの動作処理＞
続いて、図７を参照して本実施形態によるデジタルカメラ１０と通信端末２０から成る制御システムの動作処理について説明する。図７は、本実施形態による制御システムの動作処理を示すシーケンス図である。
【００７０】
図７に示すように、まず、ステップＳ２０３において、通信端末２０は、ＮＦＣ通信によりＰｏｌｌｉｎｇ  Ｃｏｍｍａｎｄを発信する。
【００７１】
次に、ステップＳ２０６において、通信端末２０のＮＦＣアンテナから所定の電波到達範囲内（例えば、略７ｍｍ）にデジタルカメラ１０のＮＦＣアンテナ１２１が含まれると、ＮＦＣ通信部１２０は、Ｐｏｌｌｉｎｇ  Ｃｏｍｍａｎｄを検知する。なおＮＦＣ通信部１２０は、上述したように、当該コマンドをＮＦＣ帯域の無線信号の周波数検出器により検知するので、検知した無線信号が何のコマンドであるかは認識できず、ＮＦＣ帯域のＲＦを検知したことを認識する。
【００７２】
次いで、ステップＳ２０９において、ＮＦＣ通信部１２０は、ＮＦＣ帯域のＲＦの検知に応じて駆動し、制御部１００に検知通知を行う。
【００７３】
次に、ステップＳ２１２において、制御部１００は、ＮＦＣ通信部１２０による検知通知に応じて電源部１１３に電源コントロール信号を出力して電源ＯＮの制御を行う。
【００７４】
次いで、ステップＳ２１５において、ＮＦＣ通信部１２０は、ＮＦＣ帯域のＲＦの検知に応じて、Ｃｏｍｍａｎｄ  ＲｅｓｐｏｎｓｅをＮＦＣ通信により発信する。
【００７５】
続いて、ステップＳ２１８において、通信端末２０は、デジタルカメラ１０からのＣｏｍｍａｎｄ  Ｒｅｓｐｏｎｓｅを検知することで、ＮＦＣ通信相手を発見し、所定の情報を取得するために、Ｃｈｅｃｋ  Ｃｏｍｍａｎｄを発信する。
【００７６】
次に、ステップＳ２２１において、デジタルカメラ１０のＮＦＣ通信部１２０は、ＮＦＣ通信により受信したＣｈｅｃｋ  Ｃｏｍｍａｎｄを制御部１００に出力する。
【００７７】
次いで、ステップＳ２２４において、制御部１００は、Ｃｈｅｃｋ  Ｃｏｍｍａｎｄに応じて、応答データをＮＦＣ通信部１２０に出力する。ここで、応答データには、Ｗｉ−Ｆｉ  Ｃｏｎｆｉｇ、ＡＡＲが含まれる。
【００７８】
次に、ステップＳ２２７において、ＮＦＣ通信部１２０は、ＮＦＣ通信により応答データを通信端末２０に送信する。
【００７９】
なお上記Ｓ２１８〜Ｓ２２７は、複数回行われ、応答データが複数回に分けて送信されてもよい。
【００８０】
続いて、ステップＳ２３３において、通信端末２０は、受信したＡＡＲに従って、所定のアプリケーションを起動する。
【００８１】
次に、ステップＳ２３６において、通信端末２０は、受信したＷｉ−Ｆｉ  Ｃｏｎｆｉｇを用いて、デジタルカメラ１０に対してＷｉ−Ｆｉ接続を要求する。
【００８２】
次いで、ステップＳ２３９において、デジタルカメラのＷｉ−Ｆｉ通信部１２２は、通信端末２０から受信した接続要求を制御部１００に出力する。
【００８３】
次に、ステップＳ２４２において、制御部１００は、Ｗｉ−Ｆｉ認証を行う。なおＷｉ−Ｆｉ認証は、Ｗｉ−Ｆｉ通信部１２２で行われてもよい。
【００８４】
次いで、ステップＳ２４５において、制御部１００は、認証結果をＷｉ−Ｆｉ通信部１２２に出力する。
【００８５】
続いて、ステップＳ２４８において、Ｗｉ−Ｆｉ通信部１２２は、認証結果を通信端末２０に送信する。
【００８６】
そして、ステップＳ２５１において、認証が成功すると、Ｗｉ−Ｆｉ接続が完了する。
【００８７】
その後、ステップＳ２５４において、通信端末２０とデジタルカメラ１０の間で、Ｗｉ−Ｆｉ通信を用いた連携機能が実施される。
【００８８】
＜＜４．他の実施の形態＞＞
以上の実施の形態は、通信端末２０と別体で使用するデジタルカメラ１０を例に挙げたが、他の実施の形態として、通信端末２０に装着して使用できるデジタルカメラを含む撮像ユニット１の例を説明する。
なお、以下の説明にあっては、撮影時において撮影者から見た方向で前後上下左右の方向を示すものとする。従って、被写体側が前方となり、撮影者側が後方となる。
また以下に示す前後上下左右の方向は説明の便宜上のものであり、本技術の実施に関しては、これらの方向に限定されることはない。
【００８９】
図８，図９に、撮像ユニット１が通信端末２０に装着された状態を示し、図１０に撮像ユニット１を構成するデジタルカメラ２，アダプター３、及び通信端末２０を斜視図で示す。また図１１はデジタルカメラ２の起動状態の斜視図である。図１２〜図１６はデジタルカメラ２の平面図、底面図、左側面図、右側面図である。図１６，図１７はアダプター３の斜視図である。以下、これらの図を参照して撮像ユニット１を説明する。
【００９０】
撮像ユニット１はデジタルカメラ２とアダプター３から成る（図８乃至図１０参照）。アダプター３はデジタルカメラ２の後面に着脱可能とされている。但し、撮像ユニット１はデジタルカメラ２の後端部にアダプター３が一体に形成された一体型の構成にされていてもよい。デジタルカメラ２は通信端末２０との間で画像データ等の送受信が可能な通信機能を有している。
アダプター３は通信端末２０に着脱可能とされている。
【００９１】
デジタルカメラ２は外筒部７と外筒部７の内部に配置された複数のレンズ群とレンズ群の後方に位置された図示しない撮像素子とを有している（図８乃至図１１参照）。デジタルカメラ２においてはレンズ群を介して取り込んだ光が撮像素子において光電変換される。従って、デジタルカメラ２は画像や映像の撮影が可能とされている。
外筒部７は前後に貫通する略円筒状に形成された周面部７ａと周面部７ａの前端部から内方へ張り出された張出部７ｂと周面部７ａを後方から閉塞する後面部７ｃとを有している。
【００９２】
外筒部７の内側には前後方向において移動可能とされた内筒部８、８が支持されている。従って、デジタルカメラ２は、内筒部８、８が外筒部７に対して前方へ繰り出されて撮影状態（図１１参照）とされ、前方へ繰り出されていた内筒部８、８が後方へ繰り込まれて外筒部７の内部に収納されることにより沈胴状態（図９参照）とされる。
【００９３】
最も内側の内筒部８の前面部には略矩形状の光透過孔８ａが形成されている（図１１参照）。最も内側の内筒部８の前面部における後面側にはレンズバリアー９、９が開閉自在に支持されている。レンズバリアー９、９は図示しない開閉機構によって沈胴状態において閉じられ撮影状態において開かれる。従って、沈胴状態においてはレンズバリアー９、９によって内筒部８の光透過孔８ａが閉塞され（図９参照）、撮影状態においてはレンズバリアー９、９によって光透過孔８ａが開放される（図１１参照）。
【００９４】
デジタルカメラ２の内部には最も前側に位置された撮影レンズ３０（図１１参照）を含む複数のレンズ群が光軸方向に離隔して配置されており、レンズバリアー９、９によって光透過孔８ａが開放されると撮影レンズ３０に外部から光が入射される。
【００９５】
外筒部７の前端部には操作リング３１が回転自在に支持されている（図９参照）。操作リング３１が操作されることにより、マニュアルフォーカスやズームが行われレンズ群が光軸方向へ移動される。
操作リング３１が外筒部７の前端部に周回状に設けられていることで、ユーザが操作リング３１の回転操作を行いやすいものとされる。操作リング３１が表面が鋸歯状のグリップ部とされていることも回転操作の操作性向上に好適である。
なお操作リング３１は、通信端末２０からのユーザ操作に応じて、無線通信による制御により、操作内容をマニュアルフォーカス操作とズーム操作で切り換えることができる。従ってユーザの好みや状況に応じて操作リング３１をフォーカス操作とズーム操作の操作子として使い分けることができる。
【００９６】
外筒部７の後面部７ｃにおける外周部には後方へ突出された結合部３２、３２が１８０°反対側の位置に設けられている（図１０、図１２乃至図１５参照）。結合部３２には周方向に離隔して外方へ突出された係止突部３２ａ、３２ａが設けられている。これにより後述するアダプター３の結合凹部５６ａ、５６ａ、係止片５３ａ、５３ａと係合する係合構造体が形成される。
後面部７ｃにおける結合部３２の近傍にはロックピン３３が前後方向へ移動自在に支持され、ロックピン３３は図示しないバネによって後方へ付勢されている。
【００９７】
外筒部７の周面部７ａにおける後端部にはロック解除レバー２ａが配置されている（図１５参照）。ロック解除レバー２ａが操作されることによりロックピン３３が外筒部７の内部に引き込まれる。
【００９８】
外筒部７の後面部７ｃにおける結合部３２、３２間の部分にはバッテリー蓋２ｂが配置されている（図１０参照）。デジタルカメラ２にはバッテリー蓋２ｂの内側にバッテリーを収納するバッテリー装填部が形成されており、バッテリー蓋２ｂを開閉することにより収納部に対する図示しないバッテリーの装着及び取出を行うことが可能とされている。
ここで結合部３２、３２が後面部７ｃにおける外周部に形成されていることで、結合部３２、３２の間を、バッテリー蓋２ｂ及びバッテリー装填部に配置に用いることができる。換言すれば結合部３２、３２が後面部７ｃにおける外周部に形成されることで、バッテリー収納空間の確保にとっての邪魔にならない。
【００９９】
外筒部７の周面部７ａにおける上端部にはマイクロフォン２ｃ、２ｃと電源釦２ｄが前後に離隔して配置されている（図９、図１０及び図１２参照）。マイクロフォン２ｃ、２ｃは外部の音声を入力するための部分である。本実施の形態のようにレンズ筐体としての外筒部７が本体となる装置態様では、マイクロフォン配置が容易な位置のうちで外筒部７の周面部７ａが最も外部音声を遮断されにくい。そのため、周面部７ａにマイクロフォン２ｃ，２ｃを配置することで外部音声の集音に適している。さらには、マイクロフォン２ｃ、２ｃが周面部７ａにおける上端部に設けられることで、ユーザが外筒部７を持ったときにマイクロフォン２ｃ、２ｃがふさがれにくく、外部音声入力に適している。
なお図示するマイクロフォン２ｃ，２ｃの部分は、外部からはマイクロフォン孔として視認される。マイクロフォン２ｃ，２ｃ自体は周面部７ａの内方に配置されるが、少なくとも外部音声を入力する２つのマイクロホンへ外部音声を導くマイクロフォン孔（２ｃ，２ｃ）は、周面部７ａ上に左右対称位置に形成されている。左右対称位置であることで左右ステレオ音声の集音に適している。
電源釦２ｄは、その表面が周面部７ａを形成する面より突出しないように配置されている。例えば図示のように周面部７ａと面一となるようにされている。或いは電源釦２ｄの表面が周面部７ａよりも落とし込まれた状態とされていてもよい。
電源釦２ｄが周面部７ａより突出しないことで誤って電源釦２ｄが操作されることの防止に適している。
電源釦２ｄが操作されることにより、デジタルカメラ２における電源の投入又は電源の遮断が行われ、電源が投入されたときに内筒部８、８が外筒部７に対して前方へ繰り出されて撮影状態が設定され、電源が遮断されたときに前方へ繰り出されていた内筒部８、８が後方へ繰り込まれて外筒部７の内部に収納されることにより沈胴状態が設定される。
【０１００】
外筒部７の周面部７ａにおける下端部には三脚用穴２ｅが形成されている（図１３参照）。三脚用穴２ｅは撮影時等に図示しない三脚にデジタルカメラ２を結合するための穴である。本実施の形態のように外筒部７がデジタルカメラ２の本体を形成する形状の場合、周面部７ａにおける下端部に三脚用穴２ｅを形成することで、三脚を取り付けた際のバランスをよくすることができる。
外筒部７の周面部７ａにおける下端部には三脚用穴２ｅの左右に転がり防止突部２ｆ、２ｆが設けられている（図１０及び図１３参照）。転がり防止突部２ｆ、２ｆは僅かに下方へ突出されている。転がり防止突部２ｆ、２ｆによってデジタルカメラ２が机やテーブル等に載置されたときのデジタルカメラ２の転がりが防止され、デジタルカメラ２の落下等による破損や故障を防止することができる。
本実施の形態のように周面部７ａの全体が曲面であったり、或いは少なくとも一部が曲面であり、そのような周面部７ａが外筐を形成する装置の場合、転がり防止突部２ｆは有用となる。
【０１０１】
外筒部７の周面部７ａにおける左端部にはズームスイッチ２ｇとシャッタ釦（撮影釦）２ｈが前後に並んで近接して配置されている（図１０及び図１４参照）。ズームスイッチ２ｇが操作されることにより望遠と広角の間でのズームが行われ、シャッター釦２ｈが操作されることにより被写体の撮影が行われる。ズームスイッチ２ｇとシャッタ釦２ｈが近接配置されていることで、ユーザにとってズーミングで画角調整してからシャッタ操作を行うという一連の撮影動作が行いやすいものとなる。なお、ズームスイッチ２ｇとシャッタ釦２ｈは前後に並ぶようにするだけでなく、上下や斜め方向にならぶ状態で近接配置されていてもよい。
シャッタ釦２ｈとズームスイッチ２ｇは同一の部材２ｋ上に配置されている。この部材２ｋは外筒部７とともに周面部７ａの一部を形成している。近接配置するズームスイッチ２ｇとシャッタ釦２ｈを部材２ｋに取り付け、この部材２ｋを外筒部７に取り付ける構造とすることで、撮像装置の製造上の組み立てを効率化できる。
なおシャッタ釦２ｈについては、例えば半押しでオートフォーカス、全押しで撮像を行う被写体の撮影を行う操作子とするとよい。例えばデジタルカメラ２を単体で使用する場合を想定すると、表示部（つまり通信端末２０）がないためフォーカス操作が難しい。シャッタ釦２ｈの半押しによりオートフォーカスが行われるものとすれば、ユーザにとって直感的にわかりやすい操作を提供できる。また音出力部を設け、オートフォーカス動作時には電子音等を出力するようにすれば、ユーザの操作認識にも適している。
またズームスイッチ２ｇは図示のようにズームレバー形式で構成されている。レバー操作によりズーム操作が行われるようにしていることで操作性向上が図られる。なお、ズームスイッチ２ｇは、ワイド釦／テレ釦による押圧ボタン形式でもよい。またボタン形式とレバー形式の２つのズームスイッチが設けられていても良い。
【０１０２】
ズームスイッチ２ｇとシャッター釦２ｈが周面部７ａにおける左端部に配置されていることにより、撮影時においてデジタルカメラ２を下方から把持したときに、操作する指が自然にズームスイッチ２ｇとシャッター釦２ｈの付近に位置されるため、操作性の向上によるデジタルカメラ２の使い勝手の向上を図ることができる。
またズームスイッチ２ｇとシャッター釦２ｈは周面部７ａにおける左端部に配置されることで、周面部７ａの上端部に設けられたマイクロフォン２ｃ、２ｃとは離れた位置となっている。これによりユーザがシャッタ釦２ｈやズームスイッチ２ｇを操作したときの音を、マイクロフォン２ｃ、２ｃがなるべく拾わないようにされている。
またズーム操作に関しては、ズームスイッチ２ｇと上述の操作リング３１が用意されている。これによってユーザは状況や好みに応じてズーム操作手法を選択でき、操作性が向上される。
またシャッター釦２ｈと電源釦２ｄとが、周面部７ａ上で周方向に異なる位置として、周面部の上方と側方に離れて配置されていることで、電源操作と撮影操作の操作ミスを防ぎやすい。なお、シャッターボタン２ｈと電源釦２ｄは周面部７ａの右方と左方などに離れていてもよいが、上述のように電源釦２ｄが周面部７ａの上方が適切であることを考えれば、シャッタ釦２ｈは周面部の側方（右方又は左方）とすることが適切である。
【０１０３】
外筒部７の周面部７ａにおける左端部のシャッター釦２ｈの後側にはカバー体２ｉが配置されている。デジタルカメラ２にはカバー体２ｉの内側に図示しないＵＳＢ（Universal Serial Bus）等の外部接続端子及びメモリーカードスロットが設けられている。従って、カバー体２ｉを開放することにより、外部機器との接続及びメモリーカードの装着を行うことができる。また、外部機器との接続やメモリーカードの装着により、デジタルカメラ２によって撮影した画像や映像の外部機器又はメモリーカードへの記録を行うことができる。
【０１０４】
外筒部７の周面部７ａにおける右端部には液晶パネル等によって形成された表示部２ｊが配置されている（図１５参照）。表示部２ｇにはバッテリーの残量やメモリーカードのメモリーカードスロットへの挿入の有無等が表示される。この表示部２ｇは撮像画像の表示に用いられるものではない。
表示部２ｇが配置されていることにより、デジタルカメラ２の外部からバッテリーの残量やメモリーカードのメモリーカードスロットへの挿入の有無等を確認することが可能であり、デジタルカメラ２の使い勝手の向上を図ることができる。
【０１０５】
デジタルカメラ２には無線通信機能が設けられている。無線通信を使用することにより、例えば、デジタルカメラ２によって撮影した画像や映像の通信端末２０への表示や保存、通信端末２０に対する操作によるデジタルカメラ２の撮影機能の実行、通信端末２０に対する操作によるデジタルカメラ２のズーム機能の実行等の各種の操作を行うことが可能とされている。
【０１０６】
例えば具体的には、外筒部７内の、周面部７ａの上端部に近い内方にはＮＦＣ通信部（ＮＦＣタグ）が搭載されており、通信端末２０に搭載されたＮＦＣ通信部との間で非接触通信を行う。また撮像画像の送信等のために例えばＷＩＦＩ通信部が設けられ、通信端末２０に搭載されたＷＩＦＩ通信部との間で無線通信を行う。
デジタルカメラ２は上述のように電源釦２ｄに対する操作によって電源オンとされる以外に、通信端末２０側からのＮＦＣ通信によって電源オンとされてもよい。例えばＮＦＣ通信が確立されたらデジタルカメラ２は電源オンする。そして例えば周面部７ａの上端部等、電源釦２ｄの近傍にＮＦＣ通信機能の表示を行うことで、ユーザは、電源オン操作に関して理解しやすいものとなる。
またＮＦＣ通信部を外筒部７内の上方側に配置することで、上述の三脚用穴２ｅに三脚を取り付けて使用する場合に、なるべくＮＦＣ通信部を通信端末２０に対して近づけやすく、非接触通信に有利となる。
さらに机上等の載置面に置いた状態を考えると、ユーザは通信端末２０を上方からデジタルカメラ２に近づけることが通常である。従ってＮＦＣ通信部を外筒部７内の上方側に配置することは、そのような使用態様でも近距離無線通信に適した配置となる。
なおデジタルカメラ２内でのＮＦＣ通信部の配置位置は、外筒部７内の上方側とする以外の例も考えられるが、少なくとも外筒部７の背面側、つまり後面部７ｃ側に近い位置には配置しないことが望ましい。背面側に近距離無線通信を行うＮＦＣ通信部を配置すると、図８，図９のようにデジタルカメラ２をアダプター３によって通信端末２０に取り付けた際には、通信端末２０側のＮＦＣ通信部と常時近接した状態となり、常時ポーリングを行ってしまう場合があるためである。このためＮＦＣ通信部は外筒部７の背面側以外に配置されることが望ましい。
【０１０７】
アダプター３は筐体５０の内外に所要の各部が配置されて成る（図１６，図１７参照）。
筐体５０は前側に位置されたベース体５１と後側に位置されたカバー体５２とが結合されて成る。
ベース体５１は円板状に形成されたベース面部５３とベース面部５３から後方へ突出された突状部５６，５６を有している（図２３参照）。
突状部５６，５６はベース面部５３の外周部において１８０°反対側の位置から突出され、ベース面部５３の左右両端部において周方向に延びる形状に形成されている。突状部５６は前方に開口され、突状部５６の内部空間が結合凹部５６ａとして形成されている（図１６参照）。
【０１０８】
ベース面部５３の外周部には結合凹部５６ａの一部を前方から覆う係止片５３ａ、５３ａ、・・・が設けられている。ベース面部５３には結合凹部５６ａに連通する被ロック孔５３ｂが形成されている。
【０１０９】
カバー体５２は一部を除いて外形が円形状に形成されている。
カバー体５２には、後方及び上方に開口された収納凹部５２ｃと、後方及び下方に開口された収納凹部５２ｄが形成されている（図１０参照）。
【０１１０】
このアダプター３には、通信端末２０に装着するための第１の被取付体６８、第２の被取付体６３が設けられている。
第１の被取付体６８は、収納凹部５２ｃに収納されてベース体５１に対して閉塞される収納位置（図１７参照）をとり得る。また第１の被取付体６８は、ベース体５１に対して開放される保持位置（図１０参照）をとり得る。第１の被取付体６８は、この収納位置と保持位置との間で回動される。
第１の被取付体６８は保持位置においてカバー体５２から後方へ突出された状態にされる。
【０１１１】
第２の被取付体６３は収納凹部５２ｄに収納されてベース体５１に対して閉塞される収納位置（図１７参照）とベース体５１に対して開放される保持位置（図１０参照）との間で回動される。第２の被取付体６３は保持位置においてカバー体５２から後方へ突出された状態にされる。即ち第２の被取付体６３は第１の被取付体６８と同様に収納位置としてベース体５１に対して収納される状態となり、保持位置としてカバー体５２から後方へ突出された状態にされる。
【０１１２】
アダプター３は、以下のようにデジタルカメラ２に結合される。
先ず、アダプター３のベース体１５に形成された結合凹部５６ａ、５６ａにそれぞれデジタルカメラ２の結合部３２，３２が挿入される。
次に、アダプター３がデジタルカメラ２に対して回転される。アダプター３が回転されると、アダプター３の係止片５３ａ、５３ａとデジタルカメラ２の係止突部３２ａ、３２ａとがそれぞれ係合され、アダプター３のデジタルカメラ２に対する前後方向における移動が規制される。即ち係止突部３２ａ、３２ａによりアダプター３の係止片５３ａ、５３ａと係合した状態を形成する。
このとき同時に、ベース体５１によってデジタルカメラ２のロックピン３３が押圧されてロックピン３３がバネの付勢力に反して外筒部７の内部に引き込まれ、アダプター３が所定の位置まで回転され被ロック孔５３ｂがロックピン３３に一致されたところでロックピン３３がバネによって外筒部７から突出され被ロック孔５３ｂに挿入される。
【０１１３】
ロックピン３３が被ロック孔５３ｂに挿入されることにより、アダプター３のデジタルカメラ２に対する回転が規制され、アダプター３がデジタルカメラ２に対してロックされた状態で結合される。
以上のように結合部３２、３２を介してデジタルカメラ２とアダプター３とを相対的に回転させることで、デジタルカメラ２とアダプター３を容易に結合させることができる。また結合状態がロックピン３３により維持される。
【０１１４】
アダプター３のデジタルカメラ２に対する結合の解除は、ロック解除レバー２ａが操作されてロックピン３３が外筒部７の内部に引き込まれロックが解除された状態において、アダプター３がデジタルカメラ２に対して結合時とは反対方向へ回転されることにより行われる。アダプター３がデジタルカメラ２に対して結合時とは反対方向へ回転されると、係止片５３ａ、５３ａとデジタルカメラ２の係止突部３２ａ、３２ａとの係合状態が解除される。この状態でアダプター３をデジタルカメラ２に対して後方へ移動させて結合凹部５６ａ、５６ａから結合部３２、３２を引き出すことによりアダプター３のデジタルカメラ２に対する結合が解除される。
【０１１５】
アダプター３の通信端末２０に対する取付は次のように行われる。
まず第１の被取付体６８と第２の被取付体６３がそれぞれカバー体５２の収納凹部５２ｃ、５２ｄから引き出されて保持位置まで回動される。
そして第１の被取付体６８が把持されて上方へ移動される。第１の被取付体６８のアダプター３の内部の図示しないスライダーに取り付けられており、上方に移動可能に構成されている。またそのスライダーにはバネが取り付けられ、第１の被取付体６８は、常に第２の被取付体６３に近づく方向に付勢されている。
【０１１６】
第１の被取付体６８が上方へ引き出されるように移動されると、第１の被取付体６８と第２の被取付体６３の間隔が大きくされていく。第１の被取付体６８は取り付けられる通信端末２０の大きさに応じた位置まで上方へ移動される。
【０１１７】
そして第１の被取付体６８と第２の被取付体６３によって通信端末２０が挟持され、アダプター３が通信端末２０に取り付けられる（図８及び図９参照）。このとき第１の被取付体６８が第２の被取付体６３に近付く方向へ付勢されていることにより、通信端末２０に第１の被取付体６８と第２の被取付体６３のそれぞれに設けられている弾性体６１（図８，図１０参照）が密着される。
またアダプター３が通信端末２０に取り付けられた状態においては、第１の被取付体６８の保持突部６０と第２の被取付体６３の保持突部６５とが通信端末２０の背面側に回り込む状態にされている。従って、アダプター３の通信端末２０からの前方への脱落が防止される。
【０１１８】
以上の動作のためにアダプター３は、第２の被取付体６３は固定で第１の被取付体６８側が伸びる構成となっている。上側である第１の被取付体６８のみが伸縮されて第１の被取付体６８と第２の被取付体６３の間隔調整が行われることで、通信端末２０の表示パネルの高さ方向（通信端末２０の筐体の短辺方向）の中央点以下の位置にデジタルカメラ２の撮像光軸が位置するようになる。そして通信端末２０のサイズに関わらず、デジタルカメラ２の底面位置と通信端末２０の底面位置が略一致する。
このため通信端末２０のサイズに関わらず、ユーザは撮像ユニット１を取り付けた通信端末２０を安定して持ちやすい状態となる。また撮像ユニット１を取り付けた通信端末２０を、そのまま机上等に置く場合も姿勢が安定し、置いたままの撮像にも適している。
また第２の被取付体６３が固定であることで通信端末２０に対するアダプター３の取付状態が安定するという利点もある。
なおアダプター３には、図１０に示すように、第１の被取付体６８側が上方に伸びる構成であることを提示するマーク６８が設けられている。このマーク６８により第１の被取付体６８の位置が上方へ伸長することをユーザが認識でき、通信端末２０への取付の際に、取付方を容易に理解でき、もって使用性を向上させることができる。
【０１１９】
アダプター３の通信端末２０からの取り外しは、第１の被取付体６８が把持されて上方へ移動され、通信端末２０が第１の被取付体６８と第２の被取付体６３の間から引き出されることにより行われる。その後に、第１の被取付体６８に付与されていた上方への力が解除されると、付勢力により第１の被取付体６８が下方へ移動され、通信端末２０への取付前の状態に戻る。
【０１２０】
ここまでデジタルカメラ２とアダプター３による撮像ユニット１の構造を説明してきたが、このように通信端末２０に取り付けて使用できる撮像ユニット１の構造は各種考えられる。デジタルカメラ２は略円筒形状のものを示したが、デジタルカメラ２の形状はそれに限定されず、例えば図１８に示すように外筐形状が略直方体形状であってもよい。もちろん略楕円筒、一部切欠き円による円筒形状なども想定される。
またデジタルカメラ２の内部構成は概略図４と同様と考えることができる。但しその場合、表示部１１０は、周面部７ａに設けられている表示部２ｊとなり、撮像画像を表示するものではない。
【０１２１】
以上説明した撮像ユニット１の一連の動作を、通信端末２０の動作と対応付けて説明するための状態遷移図を図１９に示した。
図示するように、電源ＯＦＦ状態の撮像ユニット１に、起動済みでロック解除された通信端末２０を近接させると、ＮＦＣ通信によってデジタルカメラ２の電源が入る（電源ＯＮ）。なおＮＦＣ通信は、通信端末２０を単に撮像ユニット１に接近させた場合だけでなく、上述のようにアダプター３を用いてデジタルカメラ２を通信端末２０に装着した場合も行われる。
ただし、このように近接又は装着された時点では、内筒部８を突出する等の撮像準備動作は行われない。
【０１２２】
次いで、通信端末２０は、ＮＦＣ通信によりデジタルカメラ２からＷｉ−Ｆｉ接続情報等（Ｗｉ−Ｆｉ  ＣｏｎｆｉｇおよびＡＡＲ）を受信する。接続情報等の送信が完了すると、デジタルカメラ２は内筒部８を突出する等の撮像準備動作を行う。一方、通信端末２０側では、ＡＡＲに従って所定のアプリケーションを起動し、Ｗｉ−Ｆｉ  Ｃｏｎｆｉｇを用いてデジタルカメラ２に対してＷｉ−Ｆｉ接続要求を行う。そして、通信端末２０とデジタルカメラ２の間でＷｉ−Ｆｉ接続が完了すると、Ｗｉ−Ｆｉ通信を利用した連携機能が実施される。
【０１２３】
なお接続情報等の送信が完了せずに一定時間経過した場合、図１９に示すように、デジタルカメラ２が電源ＯＦＦ制御を行うことで、誤作動により起動してしまった場合の無駄な電力消費を抑えることができる。また、誤作動で電源がＯＮになっても内筒部８は突出しないので、突出によるレンズの破損を防止することができる。
従ってデジタルカメラ２は、アダプター３によって通信端末２０に正しく取り付けられた場合は、電源オン、ＮＦＣ通信による接続情報等の送信、撮像準備動作、Ｗｉ−Ｆｉ接続による連携という動作が行われるが、単に一瞬通信端末２０が近づいただけのような場合に無駄な動作が行われない。
なお、この図１９の動作のためには、デジタルカメラ２と通信端末２０は、図５，図７で説明した処理を行えば良い。
【０１２４】
＜＜５．まとめ＞＞
上述したように、本開示の実施形態によるデジタルカメラ１０、２は、通信端末２０が近接されると電源ＯＮ制御を行い、ＮＦＣ通信によるＷｉ−Ｆｉ接続情報等の送信が完了した後に、沈胴式レンズ１３の突出や電源ランプ１２の点灯等の撮像準備動作を行う。これにより、Ｗｉ−Ｆｉ接続情報等の送信完了前にユーザが通信端末２０をデジタルカメラ１０から離してしまうことを防止し、Ｗｉ−Ｆｉ接続処理が失敗することを回避することができる。通信端末２０に装着して使用できるデジタルカメラ２の場合は、ユーザが装着の意思なく一瞬、デジタルカメラ２と通信端末２０を近づけたような場合に、無駄な撮像準備動作等が行われないという利点が得られる。
【０１２５】
また、誤作動により電源がＯＮになってしまった場合でも、ＮＦＣ通信によるＷｉ−Ｆｉ接続情報等の送信が完了しない場合は電源をＯＦＦすることにより、無駄な電力消費を抑えることができる。また、電源がＯＮになった時点では沈胴式レンズ１３の突出は行われないので、誤作動により電源はＯＮになってケース内で沈胴式レンズ１３が突出して破壊されることを防止することができる。
【０１２６】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２７】
例えば、デジタルカメラ１０または通信端末２０に内蔵されるＣＰＵ（Ｃｅｎｔｒａｌ  Ｐｒｏｃｅｓｓｉｎｇ  Ｕｎｉｔ）、ＲＯＭ、およびＲＡＭ等のハードウェアに、デジタルカメラ１０または通信端末２０の機能を発揮させるためのコンピュータプログラムも作成可能である。また、当該コンピュータプログラムを記憶させたコンピュータ読み取り可能な記憶媒体も提供される。
【０１２８】
また、本明細書のデジタルカメラ１０、通信端末２０の処理における各ステップは、必ずしも添付したフローチャート、シーケンス図において開示された順序に沿って時系列に処理する必要はない。例えば、デジタルカメラ１０、通信端末２０の処理における各ステップは、フローチャート、シーケンス図として記載した順序と異なる順序で処理されても、並列的に処理されてもよい。具体的には、例えば図７に示すステップＳ２０９とＳ２１５は並列的に処理されてもよいし、逆の順序で処理されてもよい。また、図７に示すステップＳ２３３とＳ２３６〜Ｓ２５１は、並列的に処理されてもよいし、逆の順序で処理されてもよい。
【０１２９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１３０】
なお、本技術は以下のような構成も取ることができる。
（１）外部装置と非接触通信を行う非接触通信部と、
撮像装置の電源ＯＮ／ＯＦＦおよび撮像準備動作を制御する制御部と、
を備え、
前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、撮像装置。
（２）前記制御部は、前記撮像装置の電源をＯＮにした後、所定時間内に前記接続情報の送信が完了しなかった場合、前記撮像装置の電源をＯＦＦにする制御を行う
前記（１）に記載の撮像装置。
（３）前記制御部は、前記接続情報と共に、前記外部装置で起動させるアプリケーションを指定する情報を送信するよう制御する
前記（１）または（２）に記載の撮像装置。
（４）前記制御部は、ユーザによる電源ボタンの操作を検知した際、前記撮像装置の電源をＯＮにする制御を行うと共に、撮像準備動作を行うよう制御する
前記（１）〜（３）のいずれか１項に記載の撮像装置。
（５）前記撮像準備動作は、外観の変化またはユーザへの起動通知を伴う動作である
前記（１）〜（４）のいずれか１項に記載の撮像装置。
（６）前記外観の変化を伴う撮像準備動作は、沈胴式レンズの駆動動作である
前記（５）に記載の撮像装置。
（７）前記ユーザへの起動通知を伴う撮像準備動作は、起動音の再生動作である
前記（５）に記載の撮像装置。
（８）前記ユーザへの起動通知を伴う撮像準備動作は、電源ランプの発光動作である
前記（５）に記載の撮像装置。
（９）前記非接触通信は、ＮＦＣ通信である
前記（１）〜（８）のいずれか１項に記載の撮像装置。
（１０）前記無線通信は、Ｗｉ−Ｆｉ通信である
前記（１）〜（９）のいずれか１項に記載の撮像装置。
（１１）外部装置から非接触通信により発信されたポーリングコマンドを検知するステップと、
前記ポーリングコマンドを検知した際に撮像装置の電源をＯＮにする制御を行うステップと、
前記撮像装置の電源をＯＮにした後、前記外部装置と無線通信の接続を行うための接続情報を前記外部装置に送信するステップと、
前記接続情報の送信が完了した場合に、プロセッサにより撮像準備動作を行うよう制御するステップと、を含む、制御方法。
（１２）コンピュータを、
外部装置と非接触通信を行う非接触通信部と、
撮像装置の電源ＯＮ／ＯＦＦおよび撮像準備動作を制御する制御部と、
として機能させ、
前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、プログラム。
【符号の説明】
【０１３１】
１  撮像ユニット、２  撮像装置、３  アダプター、７  外筒部、８  内筒部、１０，３０  デジタルカメラ、１２、３２０  電源ランプ、１３、３１０  沈胴式レンズ、１４  シャッターボタン、１５  電源ボタン、１００  制御部、１０２  操作入力部、１０４  撮像部、１０６  画像処理部、１０７  記録／読み出し部、１０９  記録メディア、１１０  表示部、１１１  スピーカ、１１３  電源部、１１４  時間管理部、１１５  記憶部、１１６  ＧＰＳ受信部、１１７  ジャイロセンサ、１２０  ＮＦＣ通信部、１２１  ＮＦＣアンテナ、１２２  Ｗｉ−Ｆｉ通信部、１２３  Ｗｉ−Ｆｉアンテナ、２０  通信端末、２１  表示部
【要約】
【課題】非接触通信に応じて自動的に電源ＯＮ制御を行い、無線通信接続のための接続情報の送信が完了してから撮像準備動作を行うことが可能な撮像装置、制御方法、およびプログラムを提供する。
【解決手段】外部装置と非接触通信を行う非接触通信部と、撮像装置の電源ＯＮ／ＯＦＦおよび撮像準備動作を制御する制御部と、を備え、前記制御部は、前記外部装置から前記非接触通信により発信されたポーリングコマンドを検知した際に前記撮像装置の電源をＯＮにする制御を行い、電源をＯＮにした後、前記外部装置と無線通信の接続を行うための接続情報を前記外部装置に送信し、前記接続情報の送信が完了した場合に、撮像準備動作を行うよう制御する、撮像装置。
【選択図】図１【図１】
0005527492.tif 000002
【図２】
0005527492.tif 000003
【図３】
0005527492.tif 000004
【図４】
0005527492.tif 000005
【図５】
0005527492.tif 000006
【図６】
0005527492.tif 000007
【図７】
0005527492.tif 000008
【図８】
0005527492.tif 000009
【図９】
0005527492.tif 000010
【図１０】
0005527492.tif 000011
【図１１】
0005527492.tif 000012
【図１２】
0005527492.tif 000013
【図１３】
0005527492.tif 000014
【図１４】
0005527492.tif 000015
【図１５】
0005527492.tif 000016
【図１６】
0005527492.tif 000017
【図１７】
0005527492.tif 000018
【図１８】
0005527492.tif 000019
【図１９】
0005527492.tif 000020